(57)【特許請求の範囲】
【請求項１】
便座蓋を備えた洋式の便器に組み合わせて使用されるトイレ用肘掛け装置であって、
支柱取り付け部を有する左右一対のベース部材を、便器の前方を通る連結部材で連結した一体フレームと、
一体フレームにおけるそれぞれの支柱取り付け部に取り付けられ、便器の左右で立設される左右一対の支柱部材と、
支柱部材の上部に対して回動可能な状態で取り付けられた肘掛けと、
肘掛けに一体化された背もたれと
を備え、
肘掛けを回動させ、背もたれを肘掛けと一体に回動させることで、背もたれを、全開状態にある便座蓋の前側空間の所望の場所に配置できるようにするとともに、
肘掛けが、支柱部材の上部から前方に迫り出した部分とされて、支柱部材の上部に対して水平回動可能な状態で取り付けられ、
背もたれが、支柱部材の上部から後方に迫り出した状態で肘掛けの後部に固定された部分とされた
ことを特徴とするトイレ用肘掛け装置。
【請求項２】
便座蓋を備えた洋式の便器に組み合わせて使用されるトイレ用肘掛け装置であって、
支柱取り付け部を有する左右一対のベース部材を、便器の前方を通る連結部材で連結した一体フレームと、
一体フレームにおけるそれぞれの支柱取り付け部に取り付けられ、便器の左右で立設される左右一対の支柱部材と、
支柱部材の上部に対して回動可能な状態で取り付けられた肘掛けと、
肘掛けに一体化された背もたれと
を備え、
肘掛けを回動させ、背もたれを肘掛けと一体に回動させることで、背もたれを、全開状態にある便座蓋の前側空間の所望の場所に配置できるようにするとともに、
肘掛けが、支柱部材の上部から前方に迫り出した部分とされて、支柱部材の上部に対して水平回動可能な状態で取り付けられ、
肘掛けを支柱部材の上部から後方に迫り出した状態となるまで水平回動させることによって、その肘掛けを背もたれに切り替えることができるようにした
ことを特徴とするトイレ用肘掛け装置。
【請求項３】
肘掛け及び背もたれの使用位置を無段階又は多段階で調節する使用位置調節機構が設けられた請求項１又は２記載のトイレ用肘掛け装置。
【請求項４】
便座蓋を備えた洋式の便器に組み合わせて使用されるトイレ用肘掛け装置であって、
支柱取り付け部を有する左右一対のベース部材を、便器の前方を通る連結部材で連結した一体フレームと、
一体フレームにおけるそれぞれの支柱取り付け部に取り付けられ、便器の左右で立設される左右一対の支柱部材と、
支柱部材の上部に対して回動可能な状態で取り付けられた肘掛けと、
肘掛けに一体化された背もたれと
を備え、
肘掛けを回動させ、背もたれを肘掛けと一体に回動させることで、背もたれを、全開状態にある便座蓋の前側空間の所望の場所に配置できるようにするとともに、
肘掛け及び背もたれの使用位置を無段階又は多段階で調節する使用位置調節機構が設けられ、
使用位置調節機構として、
支柱部材に対して動かない状態で取り付けられた取り付け部材と、
取り付け部材に一体的に固定されたロックドラムと、
肘掛けの本体部分に、ロックドラムと同一軸上に配されるように形成された筒状壁部と、
ロックドラム及び前記筒状壁部に外嵌されたコイルばねからなるロックばねと、
ロックばねの自由端を操作するカム機構と
で構成されたものを用いた
ことを特徴とするトイレ用肘掛け装置。
【請求項５】
便座蓋を備えた洋式の便器に組み合わせて使用されるトイレ用肘掛け装置であって、
支柱取り付け部を有する左右一対のベース部材を、便器の前方を通る連結部材で連結した一体フレームと、
一体フレームにおけるそれぞれの支柱取り付け部に取り付けられ、便器の左右で立設される左右一対の支柱部材と、
支柱部材の上部に対して回動可能な状態で取り付けられた肘掛けと、
肘掛けに一体化された背もたれと
を備え、
肘掛けを回動させ、背もたれを肘掛けと一体に回動させることで、背もたれを、全開状態にある便座蓋の前側空間の所望の場所に配置できるようにするとともに、
背もたれが、肘掛けの後部から後方に迫り出した状態で設けられた部分とされ、
背もたれの不使用時には、肘掛けの回動で背もたれが上方に回動し、次いで外方に回動して便座の外側に逃げる構造とされ、
背もたれが退避位置にあるときと使用位置にあるときとで、肘掛けの左右の傾きが変わるようにした
ことを特徴とするトイレ用肘掛け装置。
【請求項６】
肘掛けよりも高い位置で使用位置を調節可能な手摺り部材を備えた請求項１〜５いずれか記載のトイレ用肘掛け装置。
【発明の詳細な説明】
【技術分野】
【０００１】
本発明は、洋式の便器に取り付けて使用されるトイレ用肘掛け装置に関する。
【背景技術】
【０００２】
洋式の便器に取り付けて使用されるトイレ用肘掛け装置としては、例えば特許文献１の図１及び図２に示されるように、便器の左側方及び右側方に立設される左右一対の支柱部材と、支柱部材の上部に対して回動可能な状態で取り付けられたアームレスト４（肘掛け）と、便座の後部上方に配された背もたれ部３ｄ（背もたれ）とを備えたものが知られている。同文献のトイレ用肘掛け装置において、アームレスト４（肘掛け）は、支柱部材に対して上下回動可能な状態で取り付けられており、その高さを調節することができるようになっている。また、背もたれ部３ｄ（背もたれ）は、左右の支柱部材を連結して一体化させる連結部３ｄ（連結フレーム）の中央部分に設けられている。
【０００３】
この種のトイレ用肘掛け装置を設置すると、
［１］立ち座り（便座に座る動作と、便座から立ち上がる動作のこと。以下同じ。）の際に、肘掛けを掴んだり、肘掛けに寄り掛かったりすることが可能になり、楽に立ち座りできるようになる。
［２］排便時の姿勢を安定させることができる。
というメリットが得られる。
このため、この種のトイレ用肘掛け装置は、身体の不自由な人がいる家庭や、そのような人が利用する施設に設置されることが多い。
【先行技術文献】
【特許文献】
【０００４】
【特許文献１】特開２００６−１０９８９３号公報
【発明の概要】
【発明が解決しようとする課題】
【０００５】
ところで、日本では、高齢化が急速に進んでおり、介護や医療費等の社会保障費がさらに増大することが予想されている。このため、近年では、フレイル（加齢によって筋力や活動が低下した状態）を予防することの重要性が指摘されるようになっている。しかし、従来のトイレ用肘掛け装置は、高齢者や身体障碍者等、身体機能が既に低下した人を対象としたものとなっており、フレイルの予防を目的としたものとはなっていなかった。
【０００６】
また、近年は、便秘に悩む人が増えつつある。便秘にならないようにするためには、適度な運動を心掛けるとともに、決まった時間にトイレに行って排便を習慣づけることが有効であると言われている。しかし、トイレに行っても、便意が生じずなかなか排便できないのであれば、規則正しい排便を習慣づけることは難しい。この点、従来のトイレ用肘掛け装置は、身体の補助を目的としたものとなっており、排便を支援することにまで着目したトイレ用肘掛け装置は、存在しなかった。
【０００７】
さらに、従来のトイレ用肘掛け装置は、嵩張るものが多く、狭いトイレ個室に設置しにくい場合もあった。加えて、上記の特許文献１のトイレ用肘掛け装置のように、背もたれを備えたものは、家庭用の洋式の便器には使用しにくかった。というのも、家庭用の洋式の便器には、通常、便座蓋が備え付けられているところ、便座蓋を開閉する際に背もたれが邪魔になるからである。
【０００８】
本発明は、上記課題を解決するために為されたものであり、便座に対する立ち座りを容易にするだけでなく、フレイル予防運動や便秘の人の快便支援に有効なトイレ用肘掛け装置を提供するものである。また、トイレ個室が狭い場合や、便座蓋を備えた便器にも好適に使用することができるトイレ用肘掛け装置を提供することも本発明の目的である。
【課題を解決するための手段】
【０００９】
上記課題は、
便座蓋を備えた洋式の便器に組み合わせて使用されるトイレ用肘掛け装置であって、
支柱取り付け部を有する左右一対のベース部材を、便器の前方を通る連結部材で連結した一体フレームと、
一体フレームにおけるそれぞれの支柱取り付け部に取り付けられ、便器の左右で立設される左右一対の支柱部材と、
支柱部材の上部に対して回動可能な状態で取り付けられた肘掛けと、
肘掛けに一体化された背もたれと
を備え、
肘掛けを回動させ、背もたれを肘掛けと一体に回動させることで、背もたれを便座蓋前面の所望の場所に配置できるようにした
ことを特徴とするトイレ用肘掛け装置
を提供することによって解決される。
【００１０】
これにより、便座に対して立ち座りをする際には、肘掛けを掴んだり、肘掛けに寄り掛かったりすることができるようになる。このため、便座に対する立ち座りを容易に行うことが可能になる。また、便座に座った後には、肘掛けに腕を載せたり、背もたれの腰当て部に腰を当てたりすることで、排便しやすい姿勢で安定させることができる。このとき、肘掛けや腰当て部（背もたれ）を適切な位置を調節すれば、より排便しやすい姿勢に保ちやすくなる。さらに、本発明のトイレ用肘掛け装置を設置すると、肘掛けを掴みながらスクワットをしたり、腰を捻ったり、腰当て部（背もたれ）に腰を当てて上体を後側に反らせたり等、内臓を刺激する運動を行うことが可能になる。この運動を排便前に行うことで、快便を支援することができる。加えて、上記の運動を毎日継続することによって、フレイルの予防も期待できる。このとき、肘掛けや腰当て部（背もたれ）を適切な位置に調節すれば、便意を促す排便姿勢やフレイルを予防する運動をより効果的に行うことが可能である。
【００１１】
また、肘掛け及び背もたれを一体に回動できる構造を採用したことによって、トイレ用肘掛け装置を家庭の洋式の便器にも好適に使用できるようになる。すなわち、家庭のトイレは、面積が小さく、出入り口が小さいことが多いところ、トイレ用肘掛け装置をトイレの出入り口から搬入する際に、肘掛け及び背もたれを邪魔にならない位置に移動させることができる。また、家庭用の洋式の便器は、便座蓋を備えていることが多いところ、便座蓋を開閉する際には、背もたれを便座蓋の開閉の邪魔にならない位置に移動させることができる。
【００１２】
一般家庭のトイレにおいては、個室が狭いことや、便器に便座蓋が備えられている場合が多いことを考慮して、本発明のトイレ用肘掛け装置における肘掛けと背もたれの回動態様や設け方として、いくつかの好ましいパターンを提案する。
【００１３】
まず、肘掛けを、支柱部材の上部から前方に迫り出した部分として、支柱部材の上部に対して水平回動可能な状態で取り付け、背もたれを、支柱部材の上部から後方に迫り出した状態で肘掛けの後部に固定された部分とする態様を提案する。以下においては、この態様のトイレ用肘掛け装置を、「第一実施態様のトイレ用肘掛け装置」と呼ぶことがある。第一実施態様のトイレ用肘掛け装置では、左右一対の肘掛けの先端（前端）を、支柱部材を回転中心として外側に回転移動させる（左右に開く）と、左右一対の背もたれの先端（後端）が内側に移動した状態（左右に閉じた状態）となる。なお、肘掛けの先端（前端）が内側にあるときには、背もたれは、便座の上方から外側に外れた位置（外側位置）にあり、便座蓋の開閉が可能になる。
【００１４】
また、肘掛けを、支柱部材の上部から前方に迫り出した部分として、支柱部材の上部に対して水平回動可能な状態で取り付け、肘掛けを支柱部材の上部から後方に迫り出した状態となるまで水平回動させることによって、その肘掛けを背もたれに切り替えることができるようにする態様を提案する。以下においては、この態様のトイレ用肘掛け装置を、「第二実施態様のトイレ用肘掛け装置」と呼ぶことがある。第二実施態様のトイレ用肘掛け装置では、肘掛けの向きによって、その肘掛けが「肘掛け」になるか「背もたれ」になるかが決まる。このため、肘掛けと背もたれは、択一的に用いられるようになる。
【００１５】
さらに、背もたれを、肘掛けの後部から後方に迫り出した状態で設けられた部分とし、背もたれの不使用時には、肘掛けの回動で背もたれが上方に回動し、次いで外方に回動して便座の外側に逃げる構造とした態様を提案する。以下においては、この態様のトイレ用肘掛け装置を、「第三実施態様のトイレ用肘掛け装置」と呼ぶことがある。第三実施態様のトイレ用肘掛け装置では、背もたれは、便座の外側から便座蓋前面の中央近傍の位置（使用位置）に寄り合う構造となっている。背もたれを使用しないときには、背もたれと一体の肘掛けを操作することによって、背もたれを便座の上方を通って外側に逃す。この状態においては、便座蓋を開閉することが可能になる。なお、第三実施態様のトイレ用肘掛け装置では、肘掛けを回動させると、肘掛けが左右に傾く構造となっている。その傾きの程度は、回動中心の位置と肘掛けまでの距離で決まる。このため、回動中心の位置を低くする（床上２００ｍｍ程度までに抑える）と、回動中心から肘掛けまでの距離を長く確保することができる。したがって、肘掛けの左右の傾きを３０度以下に抑えることも可能である。
【００１６】
本発明のトイレ用肘掛け装置においては、肘掛け及び背もたれの使用位置を無段階又は多段階で調節する使用位置調節機構を設けることが好ましい。これにより、利用者の体格や好みに応じて、肘掛けや背もたれの使用位置を調節することができるようになる。このため、上述した立ち座りのアシスト効果や、排便のアシスト効果や、フレイルの予防効果をさらに優れたものとすることが可能になる。
【００１７】
ここで、使用位置調節機構は、その種類を特に限定されず、ラッチ機構等により実現してもよいが、ロックばね機構により実現することが好ましい。
すなわち、
使用位置調節機構を、
支柱部材に対して動かない状態で取り付けられた取り付け部材と、
取り付け部材に一体的に固定されたロックドラムと、
肘掛けの本体部分に、ロックドラムと同一軸上に配されるように形成された筒状壁部と、
ロックドラム及び前記筒状壁部に外嵌されたコイルばねからなるロックばねと、
ロックばねの自由端を操作するカム機構と
で構成することが好ましい。
これにより、肘掛けや背もたれの使用位置を無段階で調節するだけでなく、使用位置における肘掛けや背もたれをその位置でしっかりと保持させることも可能になる。
【００１８】
本発明のトイレ用肘掛け装置においては、肘掛けよりも高い位置で使用位置を調節可能な手摺り部材を設けることも好ましい。これにより、立ち座りの動作にバリエーションを持たせ、便座に対する立ち座りをさらに行いやすくすることができる。また、上記の排便前の運動やフレイルの予防運動にもバリエーションを持たせることも可能になる。
【発明の効果】
【００１９】
以上のように、本発明によって、便座に対する立ち座りを容易にするだけでなく、フレイル予防運動や便秘の人の快便支援に有効なトイレ用肘掛け装置を提供することが可能になる。また、トイレ個室が狭い場合や、便座蓋を備えた便器にも好適に使用することができるトイレ用肘掛け装置を提供することも可能になる。
【図面の簡単な説明】
【００２０】
【図１】第一実施態様のトイレ用肘掛け装置を、（ａ）上方から見た状態（平面図）と、（ｂ）側方から見た状態（側面図）とをそれぞれ示した図である。
【図２】本発明のトイレ用肘掛け装置で好適に採用しうる使用位置調節機構の一例を示した図であって、肘掛けを、（ａ）外方から見た状態と、（ｂ）内方から見た状態と、（ｃ）長手方向に切断した状態と、をそれぞれ示した図である。
【図３】図２（ｃ）に示した肘掛けのロックばね周辺を拡大して示した図であって、（ａ）ロックばねの中心線に沿って肘掛けを長手方向に切断した状態と、（ｂ）ロックばねの中心線に沿って肘掛けを巾方向に切断した状態と、をそれぞれ示した断面図である。
【図４】第二実施態様のトイレ用肘掛け装置を、（ａ）上方から見た状態（平面図）と、（ｂ）側方から見た状態（側面図）とをそれぞれ示した図である。
【図５】第三実施態様のトイレ用肘掛け装置を、（ａ）上方から見た状態（平面図）と、（ｂ）前方から見た状態（正面図）とをそれぞれ示した図である。
【発明を実施するための形態】
【００２１】
本発明のトイレ用肘掛け装置の好適な実施態様について、図面を用いてより具体的に説明する。以下においては、３つの実施態様（第一実施態様、第二実施態様及び第三実施態様）を例に挙げて説明する。しかし、本発明の技術的範囲は、これらの実施態様に限定されない。本発明のトイレ用肘掛け装置には、発明の趣旨を損なわない範囲で適宜変更を施すことができる。
【００２２】
１．第一実施態様のトイレ用肘掛け装置
まず、第一実施態様のトイレ用肘掛け装置について説明する。図１は、第一実施態様のトイレ用肘掛け装置１０を、（ａ）上方から見た状態（平面図）と、（ｂ）側方から見た状態（側面図）とをそれぞれ示した図である。図１（ａ）の紙面に向かって左側（左右中心面Ｓ１よりも左側の部分）は、肘掛け１３を使用しているときの状態を示しており、同図の紙面に向かって右側（左右中心面Ｓ１よりも右側の部分）は、背もたれ１４を使用しているときの状態を示している。第一実施態様のトイレ用肘掛け装置１０は、図１に示すように、便座蓋５１を備えた洋式の便器５０に組み合わせて使用される。このトイレ用肘掛け装置１０は、一体フレーム１１と、左右一対の支柱部材１２と、左右一対の肘掛け１３と、左右一対の背もたれ１４とを備えた組立構造である。
【００２３】
一体フレーム１１は、図１（ａ）に示すように、便器５０の両脇の床面に設置される左右一対のベース部材１１ａと、これらのベース部材１１ａを連結する連結部材１１ｂとを備えている。それぞれのベース部材１１ａの前後方向中間部には、支柱部材１２を取り付けるための支柱取り付け部１１ｃが設けられている。
【００２４】
連結部材１１ｂは、便器５０の前方下部を横切るように配される棒状の部材となっており、便器５０に干渉しないように、その中央区間が前方に突出するように平面視Ｖ字状に折り曲げられた形態を有している。連結部材１１ｂの左右方向両端部は、左右のベース部材１１ａに溶接結合された支柱取り付け部１１ｃに溶接等で一体化されている。このように、トイレ用肘掛け装置１０の下部構造として、左右で一体の一体フレーム１１を採用したことで、トイレ用肘掛け装置１０の剛性が高められている。また、組立前の一体フレーム１１の背丈は低い。
【００２５】
支柱部材１２は、便器５０の左右で上下方向に立設される柱状の部材となっている。支柱部材１２は、左右のベース部材１１ａにおける支柱取り付け部１１ｃにそれぞれ挿通され、支柱取り付け部１１ｃから抜けないようにボルトや抜け止めピン等で固定される。支柱部材１２の上端部には、肘掛け１３が回動可能な状態で取り付けられている。第一実施態様のトイレ用肘掛け装置１０において、肘掛け１３は、図１（ａ）に示すように、便座中心より前寄りの回動中心線Ｌ１を中心として水平回動できるだけでなく、図１（ｂ）に示すように、回動中心線Ｌ２を中心として上下回動させることができるようになっている。図１（ａ）における範囲α１及び図１（ｂ）における範囲α２は、それぞれ、肘掛け１３を調節可能な水平回動の範囲α１及び上下回動の範囲α２を示している。
【００２６】
支柱部材１２に対して肘掛け１３を水平回動させる機構は、特に限定されない。第一実施態様のトイレ用肘掛け装置１０においては、肘掛け１３の基端部（後端部）に水平回動ブラケット１５を設け、この水平回動ブラケット１５を支柱部材１２の上端部に対して水平回動可能な状態で挿通することによって、肘掛け１３が水平回動できるようにしている。肘掛け１３を水平回動させる際の角度（肘掛け１３の左右位置（内外位置））は、水平回動ブラケット１５及び支柱部材１２に設けた図示省略の凹凸を噛み合わせること等によって、固定することができる。この場合、肘掛け１３を僅かに持ち上げると、肘掛け１３を水平回動させることが可能な状態となる。肘掛け１３の水平回動の角度を固定する機構は、これに限定されず、ラッチ機構や、プッシュボタン機構（ボタンを押すと支柱部材１２に対する水平回動ブラケット１５のロックが解除される機構）や、後述するロックばね機構等を採用することもできる。
【００２７】
また、支柱部材１２に対して肘掛け１３を上下回動させる機構も、特に限定されないところ、使用位置（高さ）を調節可能な機構を採用することが好ましい。第一実施態様のトイレ用肘掛け装置１０では、同機構として、図２及び図３に示すように、ロックばね機構１６を用いた使用位置調節機構１６を採用している。図２は、肘掛け１３の使用位置調節機構の一例を示した図である。図２（ａ）は、肘掛け１３を外方から見た状態を、図２（ｂ）は、肘掛け１３を内方から見た状態を、図３（ｃ）は、肘掛け１３を長手方向に切断した状態を、それぞれ示している。図３は、図２（ｃ）の肘掛け１３のロックばね１６ｃ１の周辺を拡大して示した図である。図３（ａ）は、ロックばね１６ｃ１の中心線に沿って肘掛け１３を長手方向に切断した状態を、図３（ｂ）は、ロックばね１６ｃ１の中心線に沿って肘掛け１３を巾方向に切断した状態を、それぞれ示している。
【００２８】
第一実施態様のトイレ用肘掛け装置１０における肘掛け１３で採用した使用位置調節機構１６は、特許第６６８５５２７号公報に記載の「高さ調節式のアームレスト」で採用されたものと同様のものとなっている。具体的には、肘掛け１３を、図２に示すように、取り付け部材１６ａ及びロックドラム１６ｂ等からなる固定側部材と、肘掛け本体（肘掛け１３のフレーム）等からなる回動側部材と、ロックばね１６ｃ１及びカム機構１６ｃ２，１６ｃ３等からなるロックばね機構１６とで構成している。図３に示すように、肘掛け本体（肘掛け１３のフレーム）には、筒状壁部１３ａが設けられている。この筒状壁部１３ａは、ロックドラム１６ｂと同一軸上に配されており、肘掛け本体１３（回動側部材）は、ロックドラム１６ｂを軸として上下方向に回動（上下回動）するようになっている。
【００２９】
ロックばね１６ｃ１は、ロックドラム１６ｂ及び筒状壁部１３ａに外嵌されており、その自由端β１がカム機構１６ｃ２，１６ｃ３によって操作されるようになっている。カム機構１６ｃ２は、ロックばね１６ｃ１によるロックを解除するロック解除カムとなっており、カム機構１６ｃ３は、ロックばね１６ｃ１によるロックを復帰するロック復帰カムとなっている。これにより、肘掛け本体１３が使用時最下方位置と使用時最上方位置との間の高さ調節範囲にあるときには、肘掛け本体１３の上方回動を許容しながらも下方回動を規制するロック状態を発現させ、肘掛け本体１３が使用時最上方位置を越えると、肘掛け本体１３の下方回動が許容されるようになっている。
【００３０】
図２（ｂ）に示すように、固定側部材における、回動側部材の上下回動の回転中心Ｌ２を挟んで対向する一対２箇所以上には、下側ストッパー用当接部γ１を設けている。また、回動側部材には、肘掛け本体（肘掛け１３）が使用時最下方位置となったときに一対２箇所以上の下側ストッパー用当接部γ１にそれぞれ当接する一対２箇所以上の下側ストッパー用被当接部γ２を設けている。それぞれの下側ストッパー用被当接部γ２は、回動側部材に形成された窪み部の段差部壁面とされるとともに、断面補強された段付成形部となっている。肘掛け本体（肘掛け１３）が使用時最上方位置となったときに互いに当接する上側ストッパー用当接部δ１と上側ストッパー用被当接部δ２も、同様に形成している。
【００３１】
肘掛け１３の使用位置調節機構１６を上記の構成とすることによって、肘掛けの高さを無段階で調節できるだけでなく、肘掛け１３の構成部材の板厚を小さくすることができ、肘掛け１３の軽量化を図ることが可能になる。また、肘掛け１３の構成部材を所望の形状に加工しやすくなるため、その構成部材の順送化（プログレ化）を促進して、肘掛け１３の製造コストを抑えることも可能になる。詳しい内容は、特許第６６８５５２７号公報を参照されたい。
【００３２】
背もたれ１４は、図１（ａ）に示すように、左右に分割して形成されている。第一実施態様のトイレ用肘掛け装置１０においては、左右の肘掛け１３を、それぞれ左右の支柱部材１２の上部から前方に迫り出すように設けたところ、左側の背もたれ１４は、左側の肘掛け１３の後部に固定されて一体化され、右側の背もたれ１４は、右側の肘掛け１３の後部に固定されて一体化されている。このため、左右一対の肘掛け１３の先端（前端）を、支柱部材１２を回転中心として外側に回転移動させる（左右に開く）と、左右一対の背もたれ１４の先端（後端）が内側に移動した状態（左右に閉じた状態）となるようになっている。
【００３３】
左右の背もたれ１４は、それを使用位置（内側位置）に移動させたときに背もたれとして機能できるのであれば、その形態を特に限定されない。第一実施態様のトイレ用肘掛け装置１０では、それぞれの背もたれ１４を、肘掛け１３の後部から後ろ向きに延びる背もたれ基部と、背もたれ基部の後端部から内方に延びる背もたれ先部とを有する平面視Ｌ字状に形成している。背もたれ先部は、便器５０の利用者の腰に後側から宛がう腰当て部として機能するようになっている。
【００３４】
既に述べたように、便座蓋５１を備えた便器５０に組み合わせて使用するトイレ用肘掛け装置１０において、背もたれ１４を設けると、便座蓋５１を開閉する際に、背もたれ１４が邪魔になるところ、第一実施態様のトイレ用肘掛け装置１０では、肘掛け１３の先端（前端）を内側に移動させることで、背もたれ１４を、便座の上方から外側に外れた位置（外側位置）に逃すことができる。このため、背もたれ１４に干渉させることなく、便座蓋５１を開閉することが可能となっている。
【００３５】
また、家庭用のトイレは、面積が小さく、出入り口も小さめであることが多いため、肘掛け１３や背もたれ１４を備えたトイレ用肘掛け装置１０は、家庭用のトイレに設置しにくいこともある。この点、第一実施態様のトイレ用肘掛け装置１０では、肘掛け１３及び背もたれ１４を一体に回動できる構造を採用したことによって、肘掛け１３の先端（前端）を真っすぐ前方に向けると、肘掛け１３及び背もたれ１４を左右のベース部材１１ａから外方に突出しない位置に収めることが可能となっている。したがって、出入り口が小さいトイレにもトイレ用肘掛け装置を搬入及び設置することが可能となっている。なお、トイレ用肘掛け装置を組立構造としたことで、組立前の搬入も可能である。
【００３６】
このように、第一実施態様のトイレ用肘掛け装置１０は、肘掛け１３及び背もたれ１４を備えているところ、図１（ａ）に示すように、さらに、左右一対の手摺り１７も備えている。この手摺り１７は、便器５０に対して立ち座りする際に手で掴みやすいように、手摺り１７よりも高い位置に設けている。また、トイレの個室の左側や右側の壁面には、トイレットペーパーを保持するトイレットペーパーホルダが設けられていることが多いところ、手摺り１７は、このトイレットペーパーホルダよりも高くなっており、トイレットペーパーを使用する際に、手摺り１７が邪魔になりにくくしている。
【００３７】
ただし、手摺り１７が、トイレ用肘掛け装置１０に対して固定されていると、トイレ用肘掛け装置１０をトイレに搬入したり設置したりする際に、手摺り１７が邪魔になるおそれがある。また、便器５０に立ち座りする際には、手摺り１７を立ち座りの邪魔にならない外側位置に設置したい一方、便器５０に座って排便する際には、手摺り１７が身体の前側になるように内側位置に設置したいこともある等、状況によって手摺り１７の位置を変えたい場合がある。このため、第一実施態様のトイレ用肘掛け装置１０においては、肘掛け１３や背もたれ１４だけでなく、手摺り１７も、水平回動させることができるようにしている。
【００３８】
具体的には、図１（ｂ）に示すように、手摺り用連結部材１１ｂを介して、手摺り１７を支柱部材１２に取り付けている。手摺り用連結部材１１ｂは、横軸部及び縦軸部を有する側面視逆Ｌ字状の部材となっている。手摺り１７は、手摺り用連結部材１１ｂの横軸部の前端に固定されている。また、手摺り用連結部材１１ｂの縦軸部は、支柱部材１２の外周部に設けられた軸支ブラケット１８に挿通されて軸支された状態となっている。これにより、手摺り１７は、支柱部材１２（より厳密には、手摺り用連結部材１１ｂの縦軸部）を中心として水平回動させることができるようになっている。
【００３９】
以上のように、第一実施態様のトイレ用肘掛け装置１０は、肘掛け１３、背もたれ１４及び手摺り１７を備えており、便器５０に立ち座りする際や、便器５０に座って排便する際に、身体を安定させやすいものとなっている。また、便器５０の利用者に便意を促す排便姿勢（快便姿勢）をとらせることもできる。さらに、便器５０の利用者が、便意を促す運動や、フレイルを予防する運動を行う際に、その運動を補助することも可能となっている。加えて、肘掛け１３、背もたれ１４及び手摺り１７は、その位置を水平方向（左右方向）で調節可能であることに加えて、肘掛け１３は、上下位置（高さ）も変化させることができる。したがって、便器５０の利用者の体格や好みや状況等に応じて、肘掛け１３、背もたれ１４及び手摺り１７をより適切な位置に移動させることも可能となっている。
【００４０】
２．第二実施態様のトイレ用肘掛け装置
続いて、第二実施態様のトイレ用肘掛け装置について説明する。図４は、第二実施態様のトイレ用肘掛け装置１０を、（ａ）上方から見た状態（平面図）と、（ｂ）側方から見た状態（側面図）とをそれぞれ示した図である。図４（ａ）の紙面に向かって左側（左右中心面Ｓ１よりも左側の部分）は、肘掛け１３を使用しているときの状態を示しており、同図の紙面に向かって右側（左右中心面Ｓ１よりも右側の部分）は、背もたれ１４を使用しているときの状態を示している。第二実施態様のトイレ用肘掛け装置１０については、既に述べた第一実施態様のトイレ用肘掛け装置１０（図１）と異なる構成を中心に説明する。第二実施態様のトイレ用肘掛け装置１０について特に言及しない構成については、第一実施態様のトイレ用肘掛け装置１０で採用したものと同様の構成を採用することができる。
【００４１】
第一実施態様のトイレ用肘掛け装置１０（図１）と同様、第二実施態様のトイレ用肘掛け装置１０（図４）においても、肘掛け１３は、図４（ａ）に示すように、水平回動できるだけでなく、図４（ｂ）に示すように、上下回動させることができる構造となっている。ただし、第一実施態様のトイレ用肘掛け装置１０（図１）では、背もたれ１４が、肘掛け１３の後部に固定されており、支柱部材１２の上部から後方に迫り出した状態となっていた。これに対し、第二実施態様のトイレ用肘掛け装置１０では、図４に示すように、肘掛け１３と背もたれ１４とが共通部材１９に設けられており、その共通部材１９の向きを変えることによって、肘掛け１３と背もたれ１４とが切り替わるようになっている。具体的には、図４（ａ）の左側に示すように、共通部材１９の先端を前向きとすれば、その共通部材１９が肘掛け１３となり、図４（ｂ）の右側に示すように、共通部材１９の先端を内向きとすれば、その共通部材１９が背もたれ１４となるようになっている。
【００４２】
第二実施態様のトイレ用肘掛け装置１０は、肘掛け１３と背もたれ１４とを共通部材１９に設けて、肘掛け１３と背もたれ１４とを択一的に用いるようにすることで、トイレ用肘掛け装置１０の部品点数を少なくすることができるものとなっている。この場合の回転中心Ｌ１は、便座中心よりも後寄りにするとよい。
【００４３】
３．第三実施態様のトイレ用肘掛け装置
最後に、第三実施態様のトイレ用肘掛け装置について説明する。図５は、第三実施態様のトイレ用肘掛け装置を、（ａ）上方から見た状態（平面図）と、（ｂ）前方から見た状態（正面図）とをそれぞれ示した図である。図５（ａ）の紙面に向かって左側（左右中心面Ｓ１よりも左側の部分）は、背もたれ１４を使用しないときの状態を示しており、同図の紙面に向かって右側（左右中心面Ｓ１よりも右側の部分）は、背もたれ１４を使用しているときの状態を示している。第三実施態様のトイレ用肘掛け装置１０については、既に述べた第一実施態様のトイレ用肘掛け装置１０（図１）や第二実施態様のトイレ用肘掛け装置１０（図４）と異なる構成を中心に説明する。第三実施態様のトイレ用肘掛け装置１０について特に言及しない構成については、第一実施態様のトイレ用肘掛け装置１０や第二実施態様のトイレ用肘掛け装置１０で採用したものと同様の構成を採用することができる。
【００４４】
第一実施態様のトイレ用肘掛け装置１０（図１）では、肘掛け１３及び背もたれ１４が水平回動及び上下回動する構造となっていた。これに対し、第三実施態様のトイレ用肘掛け装置１０では、図５（ｂ）に示すように、支柱部材１２の上方で、背もたれ１４が肘掛け１３とともに前後方向の回動中心線Ｌ３を中心として回動する構造となっている。具体的には、背もたれ１４を使用しないときには、図５（ａ）及び図５（ｂ）の左側に示すように、背もたれ１４を便座の上方から外側に逃げた位置（退避位置）としながらも、背もたれ１４を使用するときには、図５（ａ）及び図５（ｂ）の右側に示すように、背もたれ１４を退避位置から内方乃至は下方に回動させて便座の上方（便座蓋５１の前面側）の位置（使用位置）まで移動させることができるようになっている。背もたれ１４が退避位置にあるときには、便座蓋５１を開閉することが可能である。
【００４５】
ところで、第三実施態様のトイレ用肘掛け装置１０は、図５（ｂ）に示すように、背もたれ１４が退避位置にあるときと使用位置にあるときとで、肘掛け１３が左右に傾く構造となっている。この傾きが大きいと、背もたれ１４が退避位置にあるときと使用位置にあるときとのいずれか一方で、肘掛け１３に肘を載せにくくなるおそれがある。この点、第三実施態様のトイレ用肘掛け装置１０では、床から回動中心線Ｌ１までの高さＨ１を２００ｍｍ程度に抑えることで、回動中心線Ｌ１から肘掛け１３までの距離を長く確保し、肘掛け１３の左右の傾きを３０度以下に抑えている。これにより、背もたれ１４が退避位置にあるときと使用位置にあるときとの双方で、肘掛け１３を利用することが可能となっている。
【符号の説明】
【００４６】
１０    トイレ用肘掛け装置
１１    一体フレーム
１１ａ  ベース部材
１１ｂ  連結部材
１１ｃ  支柱取り付け部
１２    支柱部材
１３    肘掛け（肘掛け本体）
１３ａ  筒状壁部
１４    背もたれ
１５    水平回動ブラケット
１６    使用位置調節機構
１６ａ  取り付け部材
１６ｂ  ロックドラム
１６ｃ  ロックばね機構
１６ｃ１  ロックばね
１６ｃ２  カム機構
１７    手摺り
１８    軸支ブラケット
１９    共通部材
５０    便器
５１    便座蓋
α１  肘掛けの水平回動範囲
α２  肘掛けの上下回動範囲
β１  ロックばねの一端部（自由端）
β２  ロックばねの他端部（固定端）
γ１  下側ストッパー用当接部
γ２  下側ストッパー用被当接部
δ１  上側ストッパー用当接部
δ２  上側ストッパー用被当接部
【要約】
【課題】
便座に対する立ち座りを容易にするだけでなく、フレイル予防運動や便秘の人の快便支援に有効なトイレ用肘掛け装置を提供する。
【解決手段】
便座蓋５１を備えた洋式の便器５０に組み合わせて使用されるトイレ用肘掛け装置１０を、支柱取り付け部１１ｃを有する左右一対のベース部材１１ａを便器５０の前方を通る連結部材１１ｂで連結した一体フレーム１１と、一体フレーム１１におけるそれぞれの支柱取り付け部１１ｃに取り付けられ、便器５０の左右で立設される左右一対の支柱部材１２と、支柱部材１２の上部に対して回動可能な状態で取り付けられた肘掛け１３と、肘掛け１３に一体化された背もたれ１４とを備えたものとし、肘掛け１３を回動させ、背もたれ１４を肘掛け１３と一体に回動させることで、背もたれ１４を便座蓋５１の前面の所望の場所に配置できるようにした。
【選択図】  図１【図１】
0006817665.tif 000002
【図２】
0006817665.tif 000003
【図３】
0006817665.tif 000004
【図４】
0006817665.tif 000005
【図５】
0006817665.tif 000006